(57)【要約】【課題】定着装置に設けられる第二のヒータ装置を駆動させる補助電源装置の劣化を抑制し、補助電源装置の寿命を長くさせること。【解決手段】電力が蓄電される補助電源装置と、商用電源の電力により定着処理用の熱を発生する第一のヒータ、および前記補助電源装置の電力により定着処理用の熱を発生する第二のヒータを備える定着装置と、前記第二のヒータを駆動しないことを指示する操作指示を受け付ける指示受付手段と、前記指示受付手段に、前記第二のヒータを駆動しないことを指示する前記操作指示が受け付けられた場合は、前記第一のヒータのみの駆動により前記定着装置を立ち上げさせる制御手段とを備える画像形成装置とする。【選択図】図２
2008096846.tif 000002
【特許請求の範囲】
【請求項１】
電力が蓄電される補助電源装置と、
商用電源の電力により定着処理用の熱を発生する第一のヒータ、および前記補助電源装置の電力により定着処理用の熱を発生する第二のヒータを備える定着装置と、
前記第二のヒータを駆動しないことを指示する操作指示を受け付ける指示受付手段と、
前記指示受付手段に、前記第二のヒータを駆動しないことを指示する前記操作指示が受け付けられた場合は、前記第一のヒータのみの駆動により前記定着装置を立ち上げさせる制御手段とを備える画像形成装置。
【請求項２】
前記制御手段は、前記第二のヒータを駆動しないことを指示する前記操作指示が前記指示受付手段に受け付けられることなく画像形成の実行開始を指示する操作指示が前記指示受付手段に受け付けられれば、前記第一および第二の両者のヒータを駆動させて前記定着装置を立ち上げさせる請求項１記載の画像形成装置。
【請求項３】
前記指示受付手段は、前記第二のヒータを駆動しないことを指示する前記操作指示と、画像形成の実行開始を指示する前記操作指示とに加えて、更に、画像形成実行時の動作設定を指示する操作指示を受け付け、
前記制御手段は、前記動作設定を指示する前記操作指示の前又は後のいずれであっても、前記第二のヒータを駆動しないことを指示する前記操作指示が、画像形成の実行開始を指示する前記操作指示より前に前記指示受付手段に受け付けられれば、前記第一のヒータのみを駆動して前記定着装置の立ち上げをさせる請求項２記載の画像形成装置。
【発明の詳細な説明】
【技術分野】
【０００１】
本発明は、商用電源の電力により定着処理用の熱を発生する第一のヒータ、および、補助電源装置に蓄電される電力により定着処理用の熱を発生する第二のヒータが定着装置に備えられた画像形成装置に関する。
【背景技術】
【０００２】
従来より、複写機、ファックス、印刷装置、複合機などの画像形成装置が用いられている。かかる画像形成装置においては、記録紙上に形成されたトナー像を加熱して、トナー像を記録紙に定着させる定着装置が設けられる。そして、定着装置には、商用電源の電力を直接取得して発熱する第一のヒータ装置とは別に、第二のヒータ装置も設けて、大容量キャパシタ等の蓄電手段を備える補助電源装置に予め商用電源から電力を蓄電させておいて、この補助電源装置により第二のヒータに電力を供給して、２つのヒータ装置を同時に駆動して、大量の熱を短時間のうちに生じさせることができるようにしてある。
【０００３】
ここで、画像形成装置においては、一定時間、ユーザが操作をしなかった場合や、ユーザが節電キーの操作等により節電モードでの動作を選択した場合に、メイン制御回路以外の電源をオフにして省電力モードへと移行し、消費電力を減らすようにしている。かかる省電力モードでは、定着装置においてヒータ装置での発熱がされず、トナー像を加熱する加熱ローラ等の温度がかなり低くなる。このため、操作パネルにユーザが操作を行なう等して、画像形成装置が省電力モードから通常の運転モードに復帰するときには、定着装置を立ち上げて、使用可能状態にするために、ある程度、大量の熱をヒータ装置で発生させる。かかる立ち上げ時に、上記した２つのヒータ装置の同時駆動が行なわれて、短い時間のうちに定着装置が立ち上がるようにしている。
【０００４】
なお、特許文献１では、補助電源装置が充電中のときや、補助電源装置を新しい充電量が満杯の装置に交換する間には、第一のヒータ装置の発熱のみでも、定着装置の立ち上げも行なうことがある技術が示されている。
【特許文献１】特開２０００−７５７３７号公報
【発明の開示】
【発明が解決しようとする課題】
【０００５】
しかしながら、かかる従来の技術では、特許文献１にみられるようなごく稀な場合を除いては、必ず定着装置の立ち上げのたびに補助電源装置の放電がされ、この結果、補助電源装置の充放電回数が多くなって、補助電源装置のキャパシタが容易に劣化して、その寿命が短くなってしまうことがあった。
【０００６】
本発明は、かかる点に鑑みてなされたものであり、定着装置に設けられる第二のヒータ装置を駆動させる補助電源装置の劣化を抑制し、補助電源装置の寿命を長くすることを目的とする。
【課題を解決するための手段】
【０００７】
請求項１記載の画像形成装置は、電力が蓄電される補助電源装置と、商用電源の電力により定着処理用の熱を発生する第一のヒータ、および前記補助電源装置の電力により定着処理用の熱を発生する第二のヒータを備える定着装置と、前記第二のヒータを駆動しないことを指示する操作指示を受け付ける指示受付手段と、前記指示受付手段に、前記第二のヒータを駆動しないことを指示する前記操作指示が受け付けられた場合は、前記第一のヒータのみの駆動により前記定着装置を立ち上げさせる制御手段とを備える画像形成装置である。
【０００８】
この構成であれば、前記第二のヒータを駆動しないことを指示する前記操作指示が前記指示受付手段に受け付けられた場合は、前記第一のヒータのみの駆動により前記定着装置が立ち上げられ、補助電源装置から第二のヒータへ電力を供給することが減り、補助電源装置の劣化を抑止し、その長寿命化を実現することができる。
【０００９】
請求項２記載の画像形成装置は、前記制御手段は、前記第二のヒータを駆動しないことを指示する前記操作指示が前記指示受付手段に受け付けられることなく画像形成の実行開始を指示する操作指示が前記指示受付手段に受け付けられれば、前記第一および第二の両者のヒータを駆動させて前記定着装置を立ち上げさせる請求項１記載の画像形成装置である。
【００１０】
この構成であれば、前記第一および第二の両者のヒータを駆動させて前記定着装置を立ち上げさせることを、前記第二のヒータを駆動しないことを指示する前記操作指示をすることなく画像形成の実行開始を指示する前記操作指示をして簡便にさせることができる。
【００１１】
請求項３記載の画像形成装置は、前記指示受付手段は、前記第二のヒータを駆動しないことを指示する前記操作指示と、画像形成の実行開始を指示する前記操作指示とに加えて、更に、画像形成実行時の動作設定を指示する操作指示を受け付け、前記制御手段は、前記動作設定を指示する前記操作指示の前又は後のいずれであっても、前記第二のヒータを駆動しないことを指示する前記操作指示が、画像形成の実行開始を指示する前記操作指示より前に前記指示受付手段に受け付けられれば、前記第一のヒータのみを駆動して前記定着装置の立ち上げをさせる請求項２記載の画像形成装置である。
【００１２】
この構成であれば、ユーザは、動作設定を指示する前記操作指示と、前記第二のヒータを駆動しないことを指示する前記操作指示との前後にとらわれる必要なく、簡便に、第一のヒータのみの駆動による定着装置の立ち上げをさせることができる。
【発明の効果】
【００１３】
請求項１記載の発明によれば、補助電源装置の劣化を抑制して、補助電源装置の長寿命化を図ることができる。
【００１４】
請求項２記載の発明によれば、前記第一および第二の両者のヒータを駆動させて前記定着装置を立ち上げさせることを、前記第二のヒータを駆動しないことを指示する前記操作指示をすることなく画像形成の実行開始を指示する前記操作指示をして簡便にさせることができる。
【００１５】
請求項３記載の発明によれば、動作設定を指示する前記操作指示と、前記第二のヒータを駆動しないことを指示する前記操作指示との前後にとらわれる必要なく、簡便に、第一のヒータのみの駆動による定着装置の立ち上げをさせることができる。
【発明を実施するための最良の形態】
【００１６】
以下、本発明の一実施形態に係る複写機１（画像形成装置）について図面を参照して説明する。
【００１７】
図１は、複写機１を示す全体構成図である。
【００１８】
複写機１は、複写を行なう原稿がセットされて、セットされた原稿の画像を読み取る画像読取部２１０と、記録紙Ｐが備えられる給紙部２２０と、給紙部２２０から延びる記録紙Ｐの搬送経路２３０と、この搬送経路２３０の途中に設けられ、搬送される記録紙Ｐに対して上述の画像読取部２１０により読み取られた画像を形成させる画像形成部２４０と、同じく搬送経路２３０の途中に設けられ、上述の画像形成部２４０よりも下流側にあり、記録紙Ｐに画像形成部２４０によって形成された画像を記録紙Ｐに定着させる定着処理を行なう定着装置４００と、定着装置４００により画像が定着された記録紙Ｐが排出される排出部２５０と、これらの各構成を制御する制御部３００とを備える。
【００１９】
また、複写機１には、複写機１に対するユーザの操作を検知する検知手段が各種、設けられている。図１には、かかるユーザ操作を検知する検知手段として、各種のキーや液晶タッチパネルを備える操作パネル７００と、上述の画像読取部２１０に設けられて、画像読取部２１０に原稿がセットされた場合にセットされた原稿を検知する原稿検知センサ２１０ｓとを例示している。
【００２０】
図２は、定着装置４００および、定着装置４００を駆動するために複写機１が備える構成を示すブロック図である。
【００２１】
図２に示すように、定着装置４００は、第一のヒータ装置４１０（第一のヒータ）と、第二のヒータ装置４２０（第二のヒータ）とを備える。第一のヒータ装置４１０は、ＡＣ入力（商用電源）より駆動回路４００ｄを介して電力供給を受けて発熱する。他方、第二のヒータ装置４２０は、キャパシタ装置６００に蓄電された電力を取得して発熱する。これら２つのヒータ装置４１０，４２０は、たとえばハロゲンヒータにより構成される。これらのヒータ装置４１０，４２０により定着ローラ等が加熱されて、定着装置４００は定着処理を行なう（図１参照）。
【００２２】
キャパシタ装置６００は、大容量キャパシタを直列に複数段、接続して構成され、ダイオードブリッジによりＡＣ入力の交流が整流された整流後の直流電力が充電部６２０から供給されて、この複数段のキャパシタに電力を蓄電させると共に、蓄電された電力を、放電部６３０から、第二のヒータ装置４２０へと放電して、第二のヒータ装置４２０を発熱させる。
【００２３】
なお、キャパシタ装置６００、充電部６２０、放電部６３０は、特許請求の範囲における「補助電源装置」の一例である。
【００２４】
補助電源制御部６１０は、充電部６２０および放電部６３０、およびその他の図示しないスイッチ等を制御することによって、キャパシタ装置６００への充電部６２０からの充電、および、キャパシタ装置６００から放電部６３０を通じた第二のヒータ装置４２０への放電を制御する。
【００２５】
制御部３００（図１および図２）は、補助電源制御部６１０と、駆動回路４００ｄとに制御信号を入力して、定着装置４００の定着ローラの温度を管理する。制御部３００は、定着装置４００に設けられた温度センサ（図略）の検出温度を参照する等して、定着処理を実行するために適切な温度に定着ローラの温度を維持させる。制御部３００は、以下で詳しく説明する、定着装置４００を立ち上げる場合以外には、第一のヒータ装置４１０のみの発熱により、定着ローラの温度管理を行なう。
【００２６】
また、制御部３００は、この複写機１にユーザが一定時間、操作パネル７００（図１）や、画像読取部２１０その他の各所の操作部への操作をしなかった場合や、ユーザが操作パネル７００に設けられた節電キー７１０（図３）等を操作して省電力モードへ移行することを選択した場合に、複写機１を省電力モードへ移行させて、複写機１の殆どの部位への電源供給を停止させて、複写機１で消費される電力を少なくさせる。
【００２７】
この場合には、定着装置４００の２つのヒータ装置４１０，４２０への通電もされないようにされて、この結果、省電力モードになっているときには、定着装置４００の定着ローラの温度は、室温と同じ温度などの低い温度に下がり、このために、かかる低い温度から、定着処理に必要な高い温度まで定着ローラを加熱する定着装置４００の立ち上げ処理が、省電力モードから複写機１が復帰される場合には必要となる。制御部３００は、かかる省電力モードから複写機１が復帰される場合における定着装置４００での発熱に、通常時から用いる第一のヒータ装置４１０に加えて、第二のヒータ装置４２０も駆動させて、両者での発熱を用いる。
【００２８】
第二のヒータ装置４２０は、前述の通り、キャパシタ装置６００に蓄電された電力により駆動される。ＡＣ入力は、第一および第二のヒータ装置４１０，４２０を二つ同時に駆動するほど大きな電源容量をもたないが、複写機１では、ＡＣ入力からキャパシタ装置６００に電力を予め蓄電させておくことができ、定着装置４００を立ち上げるときには、この、キャパシタ装置６００に蓄電された電力によって第二のヒータ装置４２０を駆動させることにより、２つのヒータ装置４１０，４２０を同時に駆動できる。
【００２９】
このようなキャパシタ装置６００を用いた、２つのヒータ装置４１０，４２０の同時駆動により、比較的短い時間で、定着装置４００の立ち上げを完了させて、画像形成を迅速に開始することができるようになっている。
【００３０】
制御部３００は、ＣＰＵ，ＲＯＭ，ＲＡＭ等のハードウェア資源が設けられた情報処理装置（コンピュータ）である。制御部３００は、パーソナルコンピュータ等に用いられる汎用のＣＰＵ、ＲＡＭ，ＲＯＭ等によって構成することができる。また、制御部３００は、ＡＳＩＣ（Application Specific Integrated Circuit）などのカスタムＩＣ等によって構成するものとしてもよい。
【００３１】
制御部３００は、複写機１を制御するための制御ソフトウェアが記憶媒体（ＲＯＭやハードディスクなど）に記憶されている。制御部３００のＣＰＵは、このソフトウェアを実行することによって、運転モード制御部３１０の機能を奏する。
【００３２】
運転モード制御部３１０は、複写機１の運転モードを制御する機能部であり、運転モードを、省電力モードと、通常の運転モードとの間で切り換える。
【００３３】
図３は、操作パネル７００（図１）を拡大して示した図である。
【００３４】
操作パネル７００には、複写機１の運転モードを省電力モードへと変化させる指示をする節電キー７１０を備える。節電キー７１０は、たとえば、従来より画像形成装置に設けられる、この種のキーとしてもよい。
【００３５】
運転モード制御部３１０は、操作パネル７００や原稿検知センサ２１０ｓなどのユーザの操作を検知する検知手段でユーザ操作が検知されると、その検知情報を取得する。そして、運転モード制御部３１０は、複写機１の運転モードが通常のモードである間に、節電キー７１０が押されると、複写機１の運転モードを省電力モードへと切り換える。運転モード制御部３１０は、こうして節電キー７１０が押され、あるいは、一定時間、操作パネル７００や原稿検知センサ２１０ｓでユーザ操作が検知されなかった場合に、複写機１の動作モードを通常のモードから省電力モードへと切り換えさせる機能を奏する。
【００３６】
運転モード制御部３１０は、省電力モードとなっている間に、操作パネル７００や原稿検知センサ２１０ｓなどでユーザ操作が検知されると省電力モードを終了させ、複写機１の動作モードを通常の運転モードへと復帰させる。運転モード制御部３１０は、このときには、定着装置４００の立ち上げを行なわせる。
【００３７】
運転モード制御部３１０は、省電力モード中にユーザが節電キー７１０を押したことで省電力モードを終了させ、運転モードを通常のモードへ復帰させる場合には、定着装置４００を急速立ち上げさせない。つまり、この場合には、運転モード制御部３１０は、第一のヒータ装置４１０のみにより定着装置４００の定着ローラを加熱させて、定着装置４００を立ち上げさせる。これにより、キャパシタ装置６００に蓄電された電力が放電部６３０を通じて第二のヒータ装置４２０へと放電されることが回避されて、キャパシタ装置６００の劣化が抑制され、その長寿命化が図られる。
【００３８】
キャパシタ装置６００の放電を抑制する、節電キー７１０の押し下げによる複写機１へのユーザの指示は、特許請求の範囲に記載した「第二のヒータを駆動しないことを指示する操作指示」の一例である。また、かかる節電キー７１０を備える操作パネル７００は、特許請求の範囲の記載における「指示受付手段」の一例を構成する。
【００３９】
運転モード制御部３１０は、節電キー７１０が押し下げられる操作以外の操作、たとえば、画像読取部２１０におけるユーザの原稿操作や、操作パネル７００における印刷スタートキー７１１等の押し下げ操作などが、原稿検知センサ２１０ｓや操作パネル７００で検知されて省電力モードを終了させる場合には、２つのヒータ装置４１０，４２０を同時駆動させて、定着装置４００を急速立ち上げさせる。
【００４０】
以上説明したような運転モード制御部３１０の機能をＣＰＵによって奏する制御部３００と、補助電源制御部６１０と、駆動回路４００ｄにより、特許請求の範囲記載の「制御手段」の一例が構成される（図２に示す定着装置制御手段３００ｘ）。
【００４１】
図４は、複写機１が行なう処理の流れを示すフローチャートである。図示する処理は、複写機１が省電力モードの状態のときに、運転モード制御部３１０により実行される。
【００４２】
ステップＳ１では、運転モード制御部３１０が、操作パネル７００や原稿検知センサ２１０ｓなどのユーザ操作を検知する検知手段で、ユーザ操作が検知されるまで待機する（ステップＳ１：ＮＯ）。
【００４３】
ステップＳ２では、ユーザ操作があったことがステップＳ１で運転モード制御部３１０に検知された場合に（ステップＳ１：ＹＥＳ）、運転モード制御部３１０が、ユーザが行ったユーザ操作が、低速で定着装置４００を立ち上げることを指示する上述の節電キー７１０（図３）の押し下げであったか否かを判定する。
【００４４】
ステップＳ３ａでは、ユーザ操作が節電キー７１０の押し下げではなかった場合（ステップＳ２：ＮＯ）、たとえば、操作パネル７００における印刷スタートキー７１１の押し下げ等であった場合に、運転モード制御部３１０が、キャパシタ装置６００の放電をさせて、定着装置４００の急速立ち上げを行なうことを決定する。
【００４５】
他方、ステップＳ３ｂでは、ステップＳ１で運転モード制御部３１０に検出されたユーザ操作が節電キー７１０の押し下げであった場合に（ステップＳ２：ＹＥＳ）、運転モード制御部３１０が、第一のヒータ装置４１０のみを駆動して定着装置４００の立ち上げを相対的に低速に行なわせ、キャパシタ装置６００の放電はさせないことを決定する。
【００４６】
ステップＳ４ａおよび４ｂでは、それぞれ、運転モード制御部３１０が、先にステップＳ３ａおよびＳ３ｂで決めた決定内容に応じて、ステップＳ３ａにて急速立ち上げを定着装置４００で行なうことを決定した場合には第一および第二のヒータ装置４１０，４２０の両者を駆動して定着装置４００を立ち上げさせ（ステップＳ４ａ）、また、他方のステップＳ３ｂにて急速立ち上げは行なわないことを決定した場合には、キャパシタ装置６００の放電を抑止して、第一のヒータ装置４１０のみにより定着装置４００を立ち上げさせる（ステップＳ４ｂ）。
【００４７】
こうして、運転モード制御部３１０は、第一のヒータ装置４１０のみ、または、第一および第二のヒータ装置４１０，４２０を発熱させて、定着装置４００を立ち上げさせて、省電力モードから通常の運転モードへと複写機１の動作モードを復帰させる。
【００４８】
この複写機１であれば、定着装置４００に設けられる第二のヒータ装置４２０を駆動させるキャパシタ装置６００の劣化を抑制し、キャパシタ装置６００の長寿命化を図ることができる。
【００４９】
また、この複写機１であれば、節電キー７１０を押して省電力モードを終了させるか、あるいは、印刷スタートキー７１１の押し下げ等の、節電キー７１０以外の操作部の操作により省電力モードを終了させるかを選ぶだけで、簡便に、第一のヒータ装置４１０のみによる定着装置４００の立ち上げを行なうか否かを切り換えさせることができ、キャパシタ装置６００の劣化を大きな手間なく抑制することができる。
【００５０】
以下、他の実施形態について説明する。
【００５１】
（ａ）図５は、第２実施形態を説明するフローチャートである。
【００５２】
複写機１は、第二実施形態においては、図４の処理に代えて、この図５のフローチャートの処理を実行する。
【００５３】
図５の処理では、複写機１は、図３のステップＳ１に相当する処理として、ステップＳｘ１１〜Ｓｘ１５の処理を行ない、また、図３のステップＳ２に相当する処理として、ステップＳｘ２の処理を行なう。また、図４のステップＳ３ａ，Ｓ４ａ，Ｓ３ｂ，Ｓ４ｂについては、先に図３において同じ符号を付して示した処理と同様である。
【００５４】
運転モード制御部３１０は、省電力モードのとき、印刷スタートキー７１１が押し下げられない間は（ステップＳｘ１５：ＮＯ）、Ｓｘ１１〜Ｓｘ１４の処理を繰り返し実行し、印刷スタートキー７１１が押し下げられると（ステップＳｘ１５：ＹＥＳ）、このＳｘ１１〜Ｓｘ１４の処理を繰り返し実行することを終了して、ステップＳｘ２以下の処理を行なう。
【００５５】
この、複写機１が省電力モードの間、繰り返し実行するステップＳｘ１１〜Ｓｘ１４の処理について説明する。
【００５６】
ステップＳｘ１１で、運転モード制御部３１０は、節電キー７１０の押し下げがあったか否かを検知する。
【００５７】
ステップＳｘ１２で、運転モード制御部３１０は、ステップＳｘ１１で節電キー７１０の押し下げがあったと検知された場合に（ステップＳｘ１１：ＹＥＳ）、自己にそのことを記憶する。ステップＳｘ１１で節電キー７１０の押し下げが検知されなければ（ステップＳｘ１１：ＮＯ）、運転モード制御部３１０は、このステップＳｘ１２の処理は行なわない。
【００５８】
ステップＳｘ１３では、制御部３００が、操作パネル７００に設けられた液晶タッチパネル７１２において、ユーザにより、印刷設定の指示がされたか否かを検知する。印刷設定の指示とは、印刷を行なう記録紙の枚数やサイズ、印刷の濃度、両面印刷を行なうか否か等々の、印刷スタートキー７１１が押されて記録紙へ行なわれる画像形成処理の処理態様に関する各種の設定の指示である。かかる印刷設定指示を複写機１に入力するユーザインタフェースが、操作パネル７００の液晶タッチパネル７１２に表示され（図３参照）、このユーザインタフェースに対するユーザの操作によって制御部３００へ印刷設定指示が入力されたか否かが、このステップＳｘ１２において制御部３００により検知される。
【００５９】
この、液晶タッチパネル７１２に表示されたユーザインタフェースへのユーザ操作によって行なわれる印刷設定指示は、特許請求の範囲の記載における「動作設定を指示する操作指示」の一例となる。なお、印刷設定指示として、液晶タッチパネル７１２に表示されたユーザインタフェースへのユーザ操作により行なわれる印刷設定指示を例にとり、説明を行なうが、テンキー等により入力される印刷設定指示の場合も同様である。
【００６０】
ステップＳｘ１４では、ステップＳｘ１３で印刷設定指示があると制御部３００に検知された場合に（ステップＳｘ１３：ＹＥＳ）、入力された印刷設定を制御部３００が自己に記憶させる。ステップＳｘ１３で印刷設定指示の入力が検知されなければ（ステップＳｘ１３：ＮＯ）、制御部３００は、このステップＳｘ１４の処理は行なわない。
【００６１】
ステップＳｘ１５では、運転モード制御部３１０が、印刷スタートキー７１１の押し下げがあるか否かを検知し、印刷スタートキー７１１の押し下げがないと検知されたときには（ステップＳｘ１５：ＮＯ）、ステップＳｘ１１の処理に戻る。こうして、印刷スタートキー７１１が押し下げられるまでの間、上述したステップＳｘ１１〜Ｓｘ１４の処理が繰り返し実行され、省電力モードが継続する。
【００６２】
上記に説明した、ステップＳｘ１１，Ｓｘ１２と、ステップＳｘ１３，Ｓｘ１４との省電力モード中に行なわれる２つの処理ブロックは、順序を入れ替えて、ステップＳｘ１３，１４の処理を先に行ない、他方のステップＳｘ１１，Ｓｘ１２の処理を後に行なうものとしてもよい。
【００６３】
なお、ステップＳｘ１５で運転モード制御部３１０に検知される印刷スタートキー７１１の押し下げ操作は、特許請求の範囲に記載した「画像形成の実行開始を指示する操作指示」の一例となる。
【００６４】
ステップＳｘ２では、省電力モード中に印刷スタートキー７１１が押された場合に（ステップＳｘ１５：ＹＥＳ）、運転モード制御部３１０が、節電キー７１０が押し下げられたことの記憶が自己にあるか否かを判定する。
【００６５】
運転モード制御部３１０は、省電力モード中に、ステップＳｘ１２を実行していなかった場合には、この節電キー７１０が押し下げられたことの記憶がなく（ステップＳｘ２：ＮＯ）、ステップＳ３ａ，Ｓ４ａの処理を行なって、定着装置４００を第一および第二の両者のヒータ装置４１０，４２０により立ち上げさせて、複写機１の運転モードを通常モードへ復帰させる。
【００６６】
他方、運転モード制御部３１０は、省電力モード中に、ステップＳｘ１２を実行していた場合には、この節電キー７１０が押し下げられたことの記憶があるので（ステップＳｘ２：ＹＥＳ）、定着装置４００を第一のヒータ装置４１０のみにより立ち上げさせて、複写機１の運転モードを通常モードへ復帰させる。
【００６７】
したがって、省電力モード中に節電キー７１０が押された場合に（ステップＳｘ１１：ＹＥＳ）、ステップＳ４ｂの第一のヒータ装置４１０のみによる定着装置４００の立ち上げが運転モード制御部３１０によりされ、省電力モード中に節電キー７１０が押されなかった場合には（ステップＳｘ１１：ＮＯ）、ステップＳ４ａの第一および第二の両者のヒータ装置４１０，４２０による定着装置４００の急速立ち上げが運転モード制御部３１０により行なわれる。
【００６８】
最後にステップＳｘ５では、ステップＳ４ａまたはステップＳ４ｂでの定着装置４００の立ち上げ処理が終わった後に、制御部３００が、画像形成を開始させ、記録紙に画像を画像形成部２４０に形成させ、また、立ち上げが済んだ定着装置４００により形成された画像を記録紙に定着させる。このときには、制御部３００は、ステップＳｘ１４で自己に記憶された印刷設定を参照して、記憶された印刷設定に応じて画像形成を行なう。
【００６９】
この構成であれば、節電キー７１０の押し下げ操作がされると（ステップＳｘ１１：ＹＥＳ）、第一のヒータ装置４１０のみの駆動により定着装置４００が立ち上げられ（ステップＳ４ｂ）、キャパシタ装置６００から第二のヒータ装置４２０へ電力を供給することが回避されて、キャパシタ装置６００の劣化を抑止し、その長寿命化を図ることができる。
【００７０】
なお、この構成では、単に、節電キー７１０を押すことなく、普通に印刷スタートキー７１１を押せば、第一および第二の両者のヒータ装置４１０，４２０による通常の定着装置４００の急速立ち上げを複写機１に、簡単に行なわせることができる。
【００７１】
また、この構成であれば、印刷スタートキー７１１が押し下げられるまでの間（ステップＳｘ１５：ＮＯ）、すなわち、省電力モードが継続して、ステップＳｘ１１〜Ｓｘ１４の処理が繰り返し実行されている間に、節電キー７１０の押し下げ（ステップＳｘ１１：ＹＥＳ）および印刷設定指示の操作（ステップＳｘ１３：ＹＥＳ）がされれば、先に節電キー７１０が押されてから（ステップＳｘ１１：ＹＥＳ、ステップＳｘ１２）、印刷設定指示の操作がされた場合も（ステップＳｘ１３：ＹＥＳ、Ｓｘ１４）、逆に、先に印刷設定指示の操作がされ（ステップＳｘ１３：ＹＥＳ、Ｓｘ１４）、その後に続けて繰り返してステップＳｘ１１〜Ｓｘ１４の処理が実行されたときに、節電キー７１０が押された場合も（ステップＳｘ１１：ＹＥＳ）、いずれの場合も、ステップＳｘ１２の処理がされて、この結果ステップＳ４ｂの処理がされることにより第一のヒータ装置４１０のみの駆動による定着装置４００の立ち上げがされ、ユーザは、印刷設定指示を行なう液晶タッチパネル７１２の操作と、節電キー７１０の操作との前後にとらわれる必要なく、簡便に第一のヒータ装置４１０のみの駆動による定着装置４００の立ち上げをさせることができる。
【００７２】
（ｂ）キャパシタ装置６００の放電が行なわれた履歴が制御部３００に記録されており、省電力モード時にこの履歴が操作パネル７００の操作などによって液晶タッチパネル７１２上などに表示されるものとしてもよい。ユーザは、この表示を見ることにより、省電力モードからの復帰を複写機１にさせるに際して、キャパシタ装置６００の放電を敢えて行なわせて定着装置４００の急速立ち上げをさせるか否かを決めることができる。
【００７３】
（ｃ）ステップＳ４ａ（図４，図５）における定着装置４００の急速立ち上げの途中で節電キー７１０が押されると、その時点から運転モード制御部３１０は、キャパシタ装置６００の放電を停止させて、以後は、第一のヒータ装置４１０のみで定着装置４００での発熱をさせて定着装置４００の立ち上げをさせるものとしてもよい。こうすれば、ユーザは、容易かつ自由に、キャパシタ装置６００の放電を抑止してキャパシタ装置６００の劣化を抑制するこができる。
【００７４】
（ｄ）第二のヒータ装置４２０を駆動しないことを指示する操作指示を受け付ける専用の手段を設けて、その専用の手段を節電キー７１０の代わりに用いてもよい。
【図面の簡単な説明】
【００７５】
【図１】複写機を示す全体構成図である。
【図２】定着装置および定着装置を駆動するために複写機が備える構成のブロック図である。
【図３】操作パネルを示す図である。
【図４】複写機が実行する処理の流れを示すフローチャートである。
【図５】第２実施形態を説明するフローチャートである。
【符号の説明】
【００７６】
Ｐ  記録紙
１  複写機（画像形成装置）
２１０  画像読取部
２１０ｓ  原稿検知センサ（指示受付手段）
２２０  給紙部
２３０  搬送経路
２４０  画像形成部
２５０  排出部
３００  制御部
３００ｘ  定着装置制御手段（制御手段）
３１０  運転モード制御部
４００  定着装置
４００ｄ  駆動回路
４１０  第一のヒータ装置（第一のヒータ）
４２０  第二のヒータ装置（第二のヒータ）
６００  キャパシタ装置（補助電源装置）
６１０  補助電源制御部
６２０  充電部（補助電源装置）
６３０  放電部（補助電源装置）
７００  操作パネル（指示受付手段）
７１０  節電キー
７１１  印刷スタートキー
７１２  液晶タッチパネル
【図１】
2008096846.tif 000003
【図２】
2008096846.tif 000004
【図３】
2008096846.tif 000005
【図４】
2008096846.tif 000006
【図５】
2008096846.tif 000007